(57)【要約】【課題】  ベルトを傷つけることなくプーリに嵌合することができるベルト装着装置及びベルト装着方法を提供する。【解決手段】  ベルト装着装置１はガイド部２と係止部３と第一部材５及び第二部材６から構成される可動部４を有する。係止部３の溝を被装着プーリであるプーリ２１のフランジ２１ａに嵌めてベルト装着装置１をプーリ２１に固定し、ベルト２０を伸張させて第二部材６に載せる。ヒンジ部７を介して、可動部４をベルト嵌合面２１ｂ方向に回転させ、ベルト２０を第一部材５及びガイド部２に滑らせ、ベルト嵌合面２１ｂの略直上に移動する。そして、ベルト装着装置１をプーリ２１の外周に沿って移動させてプーリ２１から退けながら、ベルト２０のＶリブ２０ｃをプーリ２１のプーリ溝２１ｃに嵌合する。【選択図】  図１
2006038152.tif 000002
【特許請求の範囲】
【請求項１】
ベルトを少なくとも一対のプーリに取り付けるためのベルト装着装置であって、
前記プーリの内の少なくとも最後に嵌合する被装着プーリの両側に設けられたフランジの一方に対して当該ベルト装着装置を係合する係止部材と、
前記係止部材と一体に設けられ、前記フランジの他方までの幅方向に前記被装着プーリのベルト嵌合面を覆う平板状のガイド部と、
前記ガイド部とヒンジ部を介して回転可能に軸支され、前記フランジの他方に当接しない角度で設けられた第一部材と、前記ガイド部と平行になるように前記第一部材から屈曲して連結され、前記ベルトを載せる第二部材とからなり、前記ベルトを前記ガイド部に案内する可動部と、
を有することを特徴とするベルト装着装置。
【請求項２】
前記ベルトが嵌合する範囲内で前記被装着プーリの外周に複数個装着することを特徴とする請求項１に記載のベルト装着装置。
【請求項３】
前記ベルトを取り付ける少なくとも一対の前記プーリが容易に回転できない状態であり、当該プーリに当該ベルトを取り付けるために用いることを特徴とする請求項１または２に記載のベルト装着装置。
【請求項４】
前記ベルトに埋設した心線がポリブチレンテレフタレート繊維、ポリトリメチレンテレフタレート繊維、又は、ポリエチレンテレフタレート繊維であることを特徴とする請求項１〜３のいずれか一項に記載のベルト装着装置。
【請求項５】
ベルトを少なくとも一対のプーリに取り付けるためのベルト装着方法であって、
前記プーリの内の少なくとも最後に嵌合される被装着プーリの両側に設けられたフランジの一方に対して係止部材を前記ベルトが嵌合する範囲内で前記被装着プーリの外周に複数個係合し、当該係止部材と一体に設けられた平板状のガイド部を前記フランジの他方までの幅方向に前記被装着プーリのベルト嵌合面を覆うステップと、
前記ガイド部とヒンジ部を介して回転可能に軸支され、前記フランジの他方に当接しない角度で設けられた第一部材から屈曲して連結され、前記ガイド部と平行になるように設けられた第二部材に前記ベルトを載せるステップと、
前記第一部材を前記ガイド部と略平行になるまで回転させ、前記ベルトを前記第二部材から前記第一部材を介して前記ガイド部に移動させるステップと、
前記係止部材の係合を解除し、前記ガイド部を前記被装着プーリの外周に沿って退けて、前記ベルトを前記プーリに嵌合するステップと、
を有することを特徴とするベルト装着方法。
【請求項６】
前記ベルトに埋設した心線がポリブチレンテレフタレート繊維、ポリトリメチレンテレフタレート繊維、又は、ポリエチレンテレフタレート繊維であることを特徴とする請求項５のいずれか一項に記載のベルト装着方法。
【発明の詳細な説明】
【技術分野】
【０００１】
本発明は、ベルトをプーリに取り付けるためのベルト装着装置及びベルト装着方法に関するものである。
【背景技術】
【０００２】
従来、ベルトをプーリに取り付けるための装着装置及び装着方法として、例えば、単純なレイアウト（二軸レイアウト）で構成されるプーリに対しては、プーリを回転することにより、ベルト（エラスティックベルト等）を嵌合する取付け治具が開発されている。また、特許文献１のようなエンジン等の複雑なレイアウトで構成されるプーリに対しては、プーリに取り付けたマウンティングツール（ベルト装着装置）にベルトを載せて、マウンティングツールをプーリの円周方向に回転させることにより、梃子の原理を用いてベルトをプーリに嵌合する技術が開発されている。
【０００３】
【特許文献１】特開平１０−１８４８１３号公報
【発明の開示】
【発明が解決しようとする課題】
【０００４】
しかしながら、上述の従来の技術では、ベルト装着装置を用いてベルトをプーリにずらして嵌合する際にベルトがプーリやベルト装着装置と接触して傷つく可能性がある。特に、プーリに取り付けるベルトがＶリブベルトである場合、ベルトを嵌合するプーリにもＶリブの溝が構成されており、上述の従来の技術では、ベルト装着装置を用いてベルトをプーリにずらして嵌合する際にベルトがプーリに設けられた溝（プーリ溝）と接触して傷つく可能性がある。
【０００５】
また、大排気量のエンジン等のレイアウトで構成されるプーリは、容易に回転することができないため、プーリを回転することによりベルトを取り付ける従来の技術を適用することが困難である。また、特許文献１の技術では、プーリが固定されている場合でも適用することができるが、ベルト装着装置自体の構造が複雑であるという問題がある。
【０００６】
更に、限られた空間でベルトをプーリに嵌合する場合が多く、上述の従来の技術では、ベルト装着装置自体の構造が複雑であり、ベルト装着装置の使用が困難であるという問題がある。
【０００７】
そこで、本発明は、ベルトを傷つけることなくプーリに嵌合することができるベルト装着装置及びベルト装着方法を提供するものである。
【課題を解決するための手段及び効果】
【０００８】
本発明に係るベルト装着装置は、ベルトを少なくとも一対のプーリに取り付けるためのベルト装着装置であって、前記プーリの内の少なくとも最後に嵌合する被装着プーリの両側に設けられたフランジの一方に対して当該ベルト装着装置を係合する係止部材と、前記係止部材と一体に設けられ、前記フランジの他方までの幅方向に前記被装着プーリのベルト嵌合面を覆う平板状のガイド部と、前記ガイド部とヒンジ部を介して回転可能に軸支され、前記フランジの他方に当接しない角度で設けられた第一部材と、前記ガイド部と平行になるように前記第一部材から屈曲して連結され、前記ベルトを載せる第二部材とからなり、前記ベルトを前記ガイド部に案内する可動部と、を有することを特徴とする。
【０００９】
これによると、可動部を回転させることにより、可動部の第二部材に載せたベルトをガイド部に案内し、ベルト装着装置を退けることにより被装着プーリに嵌合している。従って、ベルトを被装着プーリへ嵌合する際に被装着プーリまたはベルト装着装置でベルトが傷つくことを防止することができる。また、ベルト装着装置の構造が簡易であり、限られた空間においても容易に使用することができる。
【００１０】
ここで、本発明に係るベルト装着装置は、前記ベルトが嵌合する範囲内で前記被装着プーリの外周に複数個装着して良い。
【００１１】
これによると、ベルト装着装置をベルトが嵌合する範囲内で被装着プーリの外周に複数個装着する（例えば、被装着プーリの径に応じて２〜５個のベルト装着装置を被装着プーリのベルトが嵌合する外周部分である１／３〜１／２周に渡って略等間隔に装着する）ことにより、ベルトの傷つきを防止しつつ、容易にベルトをプーリに嵌合することができる。
【００１２】
また、本発明に係るベルト装着装置は、前記ベルトを取り付ける少なくとも一対の前記プーリが容易に回転できない状態であり、当該プーリに当該ベルトを取り付けるために用いて良い。
【００１３】
これによると、従来のベルト装着装置では取付けが難しい場合である、プーリが固定され、回転が困難な場合であっても、本発明を適用することにより、簡単な構成で、ベルトを被装着プーリに嵌合することができる。
【００１４】
更に、本発明に係るベルト装着装置は、前記ベルトに埋設した心線がポリブチレンテレフタレート繊維、ポリトリメチレンテレフタレート繊維、又は、ポリエチレンテレフタレート繊維であって良い。
【００１５】
これによると、ベルトが高伸縮性であるため、ベルトの伸張が可能であり、本発明を容易に実現することができる。
【００１６】
本発明に係るベルト装着方法は、ベルトを少なくとも一対のプーリに取り付けるためのベルト装着方法であって、前記プーリの内の少なくとも最後に嵌合される被装着プーリの両側に設けられたフランジの一方に対して係止部材を前記ベルトが嵌合する範囲内で前記被装着プーリの外周に複数個係合し、当該係止部材と一体に設けられた平板状のガイド部を前記フランジの他方までの幅方向に前記被装着プーリのベルト嵌合面を覆うベルト装着装置固定ステップと、前記ガイド部とヒンジ部を介して回転可能に軸支され、前記フランジの他方に当接しない角度で設けられた第一部材から屈曲して連結され、前記ガイド部と平行になるように設けられた第二部材に前記ベルトを載せるベルト積載ステップと、前記第一部材を前記ガイド部と略平行になるまで回転させ、前記ベルトを前記第二部材から前記第一部材を介して前記ガイド部に移動させるベルト移動ステップと、前記係止部材の係合を解除し、前記ガイド部を前記被装着プーリの外周に沿って退けて、前記ベルトを前記プーリに嵌合するベルト嵌合ステップと、を有することを特徴とする。
【００１７】
これによると、係合部材をベルトが嵌合する範囲内の被装着プーリの外周に複数個係合し（例えば、被装着プーリの径に応じて２〜５個の係合部材を被装着プーリのベルトが嵌合する外周部分である１／３〜１／２周に渡って略等間隔に係合する）、第二部材に載せたベルトを、第一部材がガイド部と略平行になるまで回転させてからガイド部に移動した後、係止部材の係合を解除し、ガイド部を被装着プーリの外周に沿って退けることにより、ベルトを被装着プーリに嵌合させている。従って、ベルトを被装着プーリへ嵌合する際に被装着プーリまたはベルト装着装置でベルトが傷つくことを防止することができる。また、ベルト装着装置の構造が簡易であり、限られた空間においても容易に使用することができる。
【００１８】
また、本発明に係るベルト装着方法は、前記ベルトに埋設した心線がポリブチレンテレフタレート繊維、ポリトリメチレンテレフタレート繊維、又は、ポリエチレンテレフタレート繊維であって良い。
【００１９】
これによると、ベルトが高伸縮性であるため、ベルトの伸張が可能であり、本発明を容易に実現することができる。
【発明を実施するための最良の形態】
【００２０】
以下、図面を参照しつつ、本発明であるベルト装着装置及びベルト装着方法を実施するための最良の形態について、具体的な一例に即して説明する。
【００２１】
まず、本実施形態に係るベルト装着装置を図１〜図４に基づいて以下に説明する。図１はベルトをベルト装着装置の可動部に載せた状態を示す図であり、（ａ）は２軸レイアウトの一部断面図であり、（ｂ）は２軸レイアウトの一部平面図である。図２はベルトをベルト装着装置のガイド部に移動した状態を示す図であり、（ａ）は２軸レイアウトの一部断面図であり、（ｂ）は２軸レイアウトの一部平面図である。図３は、ベルトの断面図である。図４は、ベルト装着装置を被装着プーリに固定した状態を示す２軸レイアウトの平面図である。本実施形態では、図４に示すように、プーリ２１とプーリ２２とで構成される２軸レイアウトにおいて、ベルト装着装置１を用いて、予めプーリ２２に嵌合したベルト２０をプーリ（被装着プーリ）２１に嵌合するものとする。尚、ベルト装着装置によりベルトを嵌合するプーリは、２軸レイアウトの最後に嵌合するプーリに限らず、複数のプーリから構成されるレイアウトにおいて、最後に嵌合するプーリまたは途中で嵌合するプーリ（即ち、最初に嵌合するプーリ以外のプーリ）であってよい。また、ベルトを嵌合するプーリは、２軸レイアウトや小排気量のエンジンレイアウト等に用いられるプーリのように回転可能の状態であっても良いし、大排気量のエンジンレイアウト等に用いられるクランクプーリのように容易に回転できない状態であっても良い。また、ベルトを嵌合するプーリは、固定されていても良いし、固定されていなくても良い。
【００２２】
本実施形態で用いるベルト２０は、図３に示すように、平ベルト本体２０ａの下面にベルト長手方向に伸びる複数のＶリブ２０ｃ（圧縮ゴム層２０ｂ）を一体に形成したＶリブベルトである。圧縮ゴム層２０ｂには、クロロプレンゴム（ＣＲ）、エチレンプロピレンゴム（ＥＰＤＭ）、クロロスルホン化ポリエチレン（ＣＳＭ）、アルキル化クロロスルホン化ポリエチレン（ＡＣＳＭ）、水素化ニトリルゴム（ＨＮＢＲ）等が用いられる。更に、ナイロン、ポリエステル、綿、アラミド等の短繊維を混入して、耐側圧性を向上させる。そして、ベルト２０はベルト長手方向に伸張可能であることが望ましく、ベルト２０に埋設した心線２０ｄが高伸縮性の繊維であることが好ましい。例えば、ベルト２０に埋設した心線２０ｄを構成するコードとして、ポリブチレンテレフタレート繊維、ポリトリメチレンテレフタレート繊維、ポリエチレンテレフタレート繊維、アラミド等の繊維からなる撚りコードを適用することが好ましい。尚、カバー帆布２０ｅには、綿、ナイロン、ポリエチレンテレフタレート、アラミド等の繊維からなる糸を用いて、平織、綾織、朱子織等に製織した布が用いられる。尚、本実施形態では、ベルト２０がＶリブベルトであるが、それに限らない。例えば、平ベルト等であっても良い。
【００２３】
プーリ２１は、ベルト２０を嵌合するべく、円周方向の側面（ベルト嵌合面）２１ｂに複数のプーリ溝２１ｃを一体に形成している。即ち、ベルト２０は３つのＶリブ２０ｃを有しており、プーリ２１はベルト２０のＶリブ２０ｃと同じ幅の３つのプーリ溝２１ｃを有しており、Ｖリブ２０ｃがプーリ溝２１ｃに嵌ることにより、ベルト２０がプーリ２１嵌合するようになっている。また、プーリ２１の両側の表面にはプーリ２１の径よりも少し大きい径のフランジ２１ａが形成されている。尚、ベルト２０のＶリブ２０ｃ、及び、プーリ２１、２２のプーリ溝２１ｃ、２２ｃは、３つに限らず、複数であってよい。尚、プーリ２２もプーリ２１と同様の構成である。
【００２４】
ベルト装着装置１は、プーリ２１のフランジ２１ａの一方に係止される係止部３と、係止部３と一体に設けられプーリ２１のベルト嵌合面２１ｂを覆うガイド部２と、ヒンジ部７を介してガイド部２と回転可能に軸支される第一部材５と、第一部材５から屈曲して連結された第二部材６と、を有する可動部４と、ガイド部２と可動部４とを回転可能に軸支するヒンジ部７とを有している。
【００２５】
係止部３は、フランジ２１ａと略一致するような形状の溝３ａを有した鉤状に形成されており、溝３ａをプーリ２１のフランジ２１ａの一方に嵌めることにより、ベルト装着装置１をプーリ２１に固定する。尚、フランジ２１ａと略一致する形状の溝３ａを有する係止部３は、フランジ２１ａの中心に向かって押し込むことで係止する状態となり、フランジ２１ａの外方に押し出すことで係止が解除される。
【００２６】
ガイド部２は、ベルト２０をプーリ２１のベルト嵌合面２１ｂにスムーズに案内するべく、平板状に形成される。また、ガイド部２は、係止部３を一方のフランジ２１ａに係止した状態で、プーリ２１のベルト嵌合面２１ｂ（即ち、ベルト嵌合面２１ｂに設けられたプーリ溝２１ｃ）を覆うように、係止部３からヒンジ部７までの長さが、他方のフランジ２１ａに至る幅以上となるように構成される。また、ガイド部２は、プーリ２１の円周方向に沿った長さが長すぎると複数個のベルト装着装置１のプーリ２１への固定が困難になり、また、装着途中のベルト２０に無用なストレスを与えるため、プーリ２１の円周方向に沿った長さが３０ｍｍ〜５０ｍｍとなるように構成される。尚、ガイド部２は、プーリ２１の外周接線方向のフラットな平板状に限らず、プーリ２１の外周に沿うように円弧に曲げられた曲線の平板状であっても良い。
【００２７】
可動部４は、ベルト装着前位置（図１の位置）において、第一部材５がフランジ２１ａの他方に当接しない角度となるように、また、第二部材６がガイド部２と平行になるよう形成される。更に、第一部材５と第二部材６の角度は、ベルト装着位置（図２の位置）において、ベルト２０が横転することなく第二部材６から第一部材５に移動するような角度で形成されることが望ましい。また、可動部４は、ベルト２０をプーリ２１のベルト嵌合面２１ｂにスムーズに案内するべく、第一部材５及び第二部材６がフラットな又は曲線の平板状になるように形成される。そして、第二部材６は、ベルト２０を載せるべく、第二部材６の幅がベルト２０の幅以上の長さになるように形成される。
【００２８】
また、ヒンジ部７は、係止部３を一方のフランジ２１ａに係止した状態で、可動部４がベルト装着前位置（図１の位置）からベルト装着後位置（図２の位置）までの間、ベルト嵌合面２１ｂ方向（図１の矢印の方向）に回転可能になるようにガイド部２と可動部４とを軸支する。尚、ヒンジ部７は、ベルト装着前位置（図１の位置）及びベルト装着後位置（図２の位置）において、可動部４を一時的に固定できるような機構を有することが好ましい。例えば、ボールプランジャとベルト装着前位置（図１の位置）及びベルト装着後位置（図２の位置）に設けたボール係止穴とからなる固定機構を備えるヒンジ部７とする。
【００２９】
尚、ベルト装着装置１は、図４に示すように、プーリ２１の、ベルト２０が既に嵌合されているプーリ２２から対向する側と反対側の外周部のフランジ２１ａに、外周部の約１／３〜１／２周に渡って略等間隔に複数個（図４では外周部の約１／３周に渡って３個）設置する。
【００３０】
次に、本実施形態に係るベルト装着装置１を用いたベルト装着方法について、図１〜図４に基づいて以下に説明する。
【００３１】
[ベルト装着装置固定ステップ]
まず、図４に示すように、ベルト２０を最後に嵌合する対象となる被装着プーリ２１の、プーリ２２から対向する側と反対側の外周部のフランジ２１ａに、外周部の約１／３周に渡って略等間隔に、ベルト装着装置１を３個設置する。そして、それぞれのベルト装着装置１について、係止部材３の溝３ａをフランジ２１ａに係止することにより、ベルト装着装置１を被装着プーリ２１に固定する。尚、この際、可動部４の第二部材６がガイド部２と略平行になるような位置（図１の位置）で一時的に固定される。
【００３２】
次に、プーリ２２にベルト２０を巻き掛けて嵌合する。
【００３３】
そして、被装着プーリ２１に固定されたベルト装着装置１を用いて被装着プーリ２１に対してベルト２０を嵌合する。被装着プーリ２１に固定されたベルト装着装置１を用いて被装着プーリ２１に対してベルト２０を嵌合する方法について、以下に詳細に説明する。以下の作業は、ベルト２０を伸張させて行うため、いずれも、図４に示す解放位置Ｘに近いベルト装着装置１から順に行う事が望ましい。尚、解放位置Ｘは２箇所存在するが、解放位置Ｘに近いベルト装着装置１が２つ存在する場合は、いずれのベルト装着装置１でも良い。
【００３４】
[ベルト積載ステップ]
図１（ａ）、（ｂ）に示すように、ベルト２０を伸張させて、可動部４の第二部材６に載せる。
【００３５】
[ベルト移動ステップ]
次に、ガイド部２と可動部４の第一部材５が略水平になるまで可動部４を図の矢印の方向に回転させる。この際、可動部４の第一部材５がガイド部２と略水平になるような位置（図２の位置）で一時的に固定される。そして、図２（ａ）、（ｂ）に示すように、可動部４の第二部材６に載っているベルト２０を第一部材５へ移動させ、さらに、ガイド部２へと横転することなく滑らせ、ベルト嵌合面２１ｂの略直上に配置する。
【００３６】
[ベルト嵌合ステップ]
次に、ベルト装着装置１の係止部３の溝３ａをフランジ２１ａの外方へとずらして係止を解除する。そして、ベルト装着装置１を被装着プーリ２１の外周に沿って移動し、ベルト２０のＶリブ２０ｃをベルト嵌合面２１ｂのプーリ溝２１ｃに嵌合させながら、ベルト装着装置１を被装着プーリ２１から退ける。被装着プーリ２１から全てのベルト装着装置１を退けることにより、プーリ２１、２２に対するベルト２０の取付けが完了する。
【００３７】
このように、本実施形態に係るベルト装着装置１及びベルト装着装置１を用いたベルト装着方法によると、可動部４を回転させることにより、可動部４の第二部材６に載せたベルト２０を、第一部材５からガイド部２に案内し、ベルト装着装置１を退けることにより被装着プーリ２１に嵌合している。この結果、ベルト２０を被装着プーリ２１へ嵌合する際に被装着プーリ２１またはベルト装着装置１でベルト２０が傷つくことを防止することができる。また、ベルト装着装置１の構造が簡易であり、限られた空間においても容易に使用することができる。
【００３８】
また、ベルト装着装置１をベルト２０が嵌合する範囲内で被装着プーリ２１の外周に複数個装着することにより、ベルト２０の傷つきを防止しつつ、容易にベルト２０を被装着プーリ２１に嵌合することができる。
【００３９】
また、被装着プーリ２１またはプーリ２２が固定されて回転が困難な場合、従来のベルト装着装置では取付けが難しいが、本実施形態に係るベルト装着装置１及びベルト装着装置１を用いたベルト装着方法を適用することにより、簡単な構成で、ベルト２０を被装着プーリ２１に嵌合することができる。
【００４０】
更に、ベルト２０に埋設した心線がポリブチレンテレフタレート繊維、ポリトリメチレンテレフタレート繊維、又は、ポリエチレンテレフタレート繊維であり、ベルト２０が高伸縮性であるため、ベルト２０の伸張が可能であり、本実施形態に係るベルト装着装置１及びベルト装着装置１を用いたベルト装着方法を容易に実現することができる。
【００４１】
以上、本発明は、上記の好ましい実施形態に記載されているが、本発明はそれだけに制限されない。本発明の精神と範囲から逸脱することのない様々な実施形態が他になされる。さらに、本実施形態において、本発明の構成による作用および効果を述べているが、これら作用および効果は、一例であり、本発明を限定するものではない。また、具体例は、本発明の構成を例示したものであり、本発明を限定するものではない。
【００４２】
例えば、上述の実施形態では、プーリ２１に固定した複数のベルト装着装置１の可動部５について、解放位置Ｘに近いベルト装着装置１から順に回転させているが、それに限らず、作業者の手または一斉回動機構により全てのベルト装着装置１を同時に回転するようにしても良い。一斉回動機構は、例えば、回転または揺動を多方向（一斉回動機構からベルト装着装置１を装着している方向）での内外拡縮に変換する内外拡縮機構を有し、この一斉回動機構をプーリ２１側面のフランジ２１ａに取り付けることにより、複数のベルト装着装置１の可動部５を一斉に回転させる。この場合、ベルト２０をベルト装着装置１に嵌合する際にベルト２０にねじれが発生しにくくなり、好ましい。
【図面の簡単な説明】
【００４３】
【図１】ベルトをベルト装着装置の可動部に載せた状態を示す図であり、（ａ）は２軸レイアウトの一部断面図であり、（ｂ）は２軸レイアウトの一部平面図である。
【図２】ベルトをベルト装着装置のガイド部に移動した状態を示す図であり、（ａ）は２軸レイアウトの一部断面図であり、（ｂ）は２軸レイアウトの一部平面図である。
【図３】ベルトの断面図である。
【図４】ベルト装着装置を被装着プーリに固定した状態を示す２軸レイアウトの平面図である。
【符号の説明】
【００４４】
１      ベルト装着装置
２      ガイド部
３      係止部
３ａ    溝
４      可動部
５      第一部材
６      第二部材
２０    ベルト
２０ｄ  心線
２０ｃ  Ｖリブ
２１    被装着プーリ
２１ａ  フランジ
２１ｂ  ベルト嵌合面
２１ｃ  プーリ溝
２２    プーリ
【図１】
2006038152.tif 000003
【図２】
2006038152.tif 000004
【図３】
2006038152.tif 000005
【図４】
2006038152.tif 000006